(57)【要約】【課題】商品のパッケージ表面に印刷され剥き出し状態の二次元コードでも、この商品の購入者のみがキャンペーン応募できる。【解決手段】  ＰＯＳレジスターは、購入商品の決済の際、ウェブキャンペーンサーバと同じアルゴリズムで時間でアルゴリズム変数を同期させてパス鍵を生成してパス鍵付レシートを発行し、  ウェブキャンペーンサーバは、ＰＯＳレジスターと同じアルゴリズムで時間でアルゴリズム変数を同期させてパス鍵を生成し、既に出荷した商品のパッケージに印刷された二次元コードを保存し、保存している二次元コードの中に、読取機器が商品のパッケージから読み取って送信して来た二次元コードがある場合、読取機器にパス鍵要求を送信し、既に生成しているパス鍵の中に、読取機器がパス鍵付レシートから読み取って送信して来たパス鍵がある場合、キャンペーン応募を認める。【選択図】図３
2011086218.tif 000002
【特許請求の範囲】
【請求項１】
ＰＯＳレジスターとネットワークに接続される読取機器及びウェブキャンペーンサーバとを備えキャンペーン応募に係る認証を行うシステムであって、
前記ＰＯＳレジスターは、購入商品の決済を行う手段と、決済の際、ウェブキャンペーンサーバと同じアルゴリズムで時間でアルゴリズム変数を同期させてパス鍵を生成する手段と、パス鍵付レシートを発行する手段とを有し、
前記読取機器は、商品購入者に、該読取機器で、商品のパッケージに印刷されている二次元コードを読み取らせて、ウェブキャンペーンサーバに送信させる手段と、ウェブキャンペーンサーバからのパス鍵要求を受信して商品購入者に通知する手段と、商品購入者に、該読取機器で、パス鍵付レシートからパス鍵を読み取らせてウェブキャンペーンサーバに送信させる手段とを有し、
前記ウェブキャンペーンサーバは、ＰＯＳレジスターと同じアルゴリズムで時間でアルゴリズム変数を同期させてパス鍵を生成する手段と、既に出荷した商品のパッケージに印刷された二次元コードを保存する手段と、読取機器から二次元コードを受信する手段と、受信した二次元コードと保存している二次元コードとを照合して、保存している二次元コードの中に受信した二次元コードがある場合、読取機器にパス鍵要求を送信する手段と、読取機器からパス鍵を受信する手段と、受信したパス鍵と、既に生成しているパス鍵とを照合して、既に生成しているパス鍵の中に、受信したパス鍵がある場合、キャンペーン応募を認める手段とを有することを特徴とするキャンペーン応募認証システム。
【請求項２】
前記ＰＯＳレジスターは、複数同時購入の場合、生成したパス鍵に行列変形を行って購入数分のパス鍵を生成する手段を有し、
前記ウェブキャンペーンサーバは、既に生成しているパス鍵の中に受信したパス鍵がない場合には、既に生成しているパス鍵の中に、受信したパス鍵に逆行列変形したものがある場合に、キャンペーン応募を認める手段を有することを特徴とする請求項１記載のキャンペーン応募認証システム。
【請求項３】
ＰＯＳレジスターとネットワークに接続される読取機器及びウェブキャンペーンサーバとでキャンペーン応募に係る認証を行う方法であって、
前記ＰＯＳレジスターが行う工程として、購入商品の決済を行う工程と、決済の際、ウェブキャンペーンサーバと同じアルゴリズムで時間でアルゴリズム変数を同期させてパス鍵を生成する工程と、パス鍵付レシートを発行する工程とを含み、
前記読取機器が行う工程として、商品購入者に、該読取機器で、商品のパッケージに印刷されている二次元コードを読み取らせて、ウェブキャンペーンサーバに送信させる工程と、ウェブキャンペーンサーバからのパス鍵要求を受信して商品購入者に通知する工程と、商品購入者に、該読取機器で、パス鍵付レシートからパス鍵を読み取らせてウェブキャンペーンサーバに送信させる工程とを含み、
前記ウェブキャンペーンサーバが行う工程として、ＰＯＳレジスターと同じアルゴリズムで時間でアルゴリズム変数を同期させてパス鍵を生成する工程と、既に出荷した商品のパッケージに印刷された二次元コードを保存する工程と、読取機器から二次元コードを受信する工程と、受信した二次元コードと保存している二次元コードとを照合して、保存している二次元コードの中に受信した二次元コードがある場合、読取機器にパス鍵要求を送信する工程と、読取機器からパス鍵を受信する工程と、受信したパス鍵と、既に生成しているパス鍵とを照合して、既に生成しているパス鍵の中に、受信したパス鍵がある場合、キャンペーン応募を認める工程とを含むことを特徴とするキャンペーン応募認証方法。
【請求項４】
前記ＰＯＳレジスターが行う工程として、複数同時購入の場合、生成したパス鍵に行列変形を行って購入数分のパス鍵を生成する工程を含み、
前記ウェブキャンペーンサーバが行う工程として、既に生成しているパス鍵の中に受信
したパス鍵がない場合には、既に生成しているパス鍵の中に、受信したパス鍵に逆行列変形したものがある場合に、キャンペーン応募を認める工程を含むことを特徴とする請求項３記載のキャンペーン応募認証方法。
【発明の詳細な説明】
【技術分野】
【０００１】
本発明はキャンペーン応募に関する。
【背景技術】
【０００２】
一般に、商品の販売に係る管理を目的として、商品のパッケージにＱＲコード（登録商標）等の二次元コードを印刷することが行われている（例えば特許文献１参照）。
【０００３】
また一般に、商品の購入者にキャンペーン応募する権利を与えることを目的として、個々の商品にユニークなＱＲコード（登録商標）を、個々の商品のパッケージに印刷することが行われている。この場合、商品の購入者は、この商品のパッケージに印刷されたＱＲコード（登録商標）を携帯電話で読み取って、ウェブキャンペーンサーバにアクセスすることにより、キャンペーン応募ができることになる。
【０００４】
しかしながら、従来のウェブキャンペーンサーバでは、携帯電話から送られるＱＲコード（登録商標）だけで、商品の購入者であることを認証しているために、店頭で、商品の購入者でないものが、不正に、ＱＲコード（登録商標）を携帯電話で読み取って、キャンペーン応募してしまう恐れがあった。
【０００５】
このような不正を防止するために、従来、キャンペーン応募用のＱＲコード（登録商標）は、商品の販売管理用のＱＲコード（登録商標）とは別に、パッケージ内部に印刷するか、或いは、パッケージ内部に印刷できない場合には、パッケージ表面に印刷し、その上にシールなどを貼って隠蔽する必要があり、コスト高につながり、シールを貼る場合には落丁などの危険もあった。
【先行技術文献】
【特許文献】
【０００６】
【特許文献１】特開２００８−２９３２８４
【発明の概要】
【発明が解決しようとする課題】
【０００７】
本発明は斯かる背景技術に鑑みてなされたもので、商品のパッケージ表面に印刷され剥き出し状態の二次元コードでも、この商品の購入者のみがキャンペーン応募できることを課題とする。
【課題を解決するための手段】
【０００８】
本発明において上記課題を解決するために、まず請求項１の発明では、
ＰＯＳレジスターとネットワークに接続される読取機器及びウェブキャンペーンサーバとを備えキャンペーン応募に係る認証を行うシステムであって、
前記ＰＯＳレジスターは、購入商品の決済を行う手段と、決済の際、ウェブキャンペーンサーバと同じアルゴリズムで時間でアルゴリズム変数を同期させてパス鍵を生成する手段と、パス鍵付レシートを発行する手段とを有し、
前記読取機器は、商品購入者に、該読取機器で、商品のパッケージに印刷されている二次元コードを読み取らせて、ウェブキャンペーンサーバに送信させる手段と、ウェブキャンペーンサーバからのパス鍵要求を受信して商品購入者に通知する手段と、商品購入者に、該読取機器で、パス鍵付レシートからパス鍵を読み取らせてウェブキャンペーンサーバに送信させる手段とを有し、
前記ウェブキャンペーンサーバは、ＰＯＳレジスターと同じアルゴリズムで時間でアルゴリズム変数を同期させてパス鍵を生成する手段と、既に出荷した商品のパッケージに印刷された二次元コードを保存する手段と、読取機器から二次元コードを受信する手段と、受信した二次元コードと保存している二次元コードとを照合して、保存している二次元コードの中に受信した二次元コードがある場合、読取機器にパス鍵要求を送信する手段と、読取機器からパス鍵を受信する手段と、受信したパス鍵と、既に生成しているパス鍵とを照合して、既に生成しているパス鍵の中に、受信したパス鍵がある場合、キャンペーン応募を認める手段とを有することを特徴とするキャンペーン応募認証システムとしたものである。
【０００９】
また請求項２の発明では、
前記ＰＯＳレジスターは、複数同時購入の場合、生成したパス鍵に行列変形を行って購入数分のパス鍵を生成する手段を有し、
前記ウェブキャンペーンサーバは、既に生成しているパス鍵の中に受信したパス鍵がない場合には、既に生成しているパス鍵の中に、受信したパス鍵に逆行列変形したものがある場合に、キャンペーン応募を認める手段を有することを特徴とする請求項１記載のキャンペーン応募認証システムとしたものである。
【００１０】
また請求項３の発明では、
ＰＯＳレジスターとネットワークに接続される読取機器及びウェブキャンペーンサーバとでキャンペーン応募に係る認証を行う方法であって、
前記ＰＯＳレジスターが行う工程として、購入商品の決済を行う工程と、決済の際、ウェブキャンペーンサーバと同じアルゴリズムで時間でアルゴリズム変数を同期させてパス鍵を生成する工程と、パス鍵付レシートを発行する工程とを含み、
前記読取機器が行う工程として、商品購入者に、該読取機器で、商品のパッケージに印刷されている二次元コードを読み取らせて、ウェブキャンペーンサーバに送信させる工程と、ウェブキャンペーンサーバからのパス鍵要求を受信して商品購入者に通知する工程と、商品購入者に、該読取機器で、パス鍵付レシートからパス鍵を読み取らせてウェブキャンペーンサーバに送信させる工程とを含み、
前記ウェブキャンペーンサーバが行う工程として、ＰＯＳレジスターと同じアルゴリズムで時間でアルゴリズム変数を同期させてパス鍵を生成する工程と、既に出荷した商品のパッケージに印刷された二次元コードを保存する工程と、読取機器から二次元コードを受信する工程と、受信した二次元コードと保存している二次元コードとを照合して、保存している二次元コードの中に受信した二次元コードがある場合、読取機器にパス鍵要求を送信する工程と、読取機器からパス鍵を受信する工程と、受信したパス鍵と、既に生成しているパス鍵とを照合して、既に生成しているパス鍵の中に、受信したパス鍵がある場合、キャンペーン応募を認める工程とを含むことを特徴とするキャンペーン応募認証方法としたものである。
【００１１】
また請求項４の発明では、
前記ＰＯＳレジスターが行う工程として、複数同時購入の場合、生成したパス鍵に行列変形を行って購入数分のパス鍵を生成する工程を含み、
前記ウェブキャンペーンサーバが行う工程として、既に生成しているパス鍵の中に受信したパス鍵がない場合には、既に生成しているパス鍵の中に、受信したパス鍵に逆行列変形したものがある場合に、キャンペーン応募を認める工程を含むことを特徴とする請求項３記載のキャンペーン応募認証方法としたものである。
【発明の効果】
【００１２】
本発明は、実際に商品を購入してパス鍵付レシートを受け取らない限り、商品のパッケージに印刷されている二次元コードを携帯電話等の読取機器で読み取っても、キャンペー
ン応募ができないので、商品のパッケージ表面に印刷され剥き出し状態の二次元コードでも、この商品の購入者のみがキャンペーン応募できるという効果がある。
【００１３】
従って、商品の販売管理用の二次元コードで、キャンペーン応募用の二次元コードを兼ねることができ、商品のパッケージの製造工程が単純になり、低コストを実現できるという効果がある。
【００１４】
さらに、商品のパッケージ表面に二次元コードを印刷して剥き出しにすることは、商パッケージの内部に印刷したりシールで隠蔽するよりも視覚効果があり、キャンペーン応募への誘導を促すこともできるという効果がある。
【００１５】
また、パス鍵付レシートには、商品のパッケージに印刷されている二次元コードが記載されないので、パス鍵付レシートだけを不正に入手しても、ウェブキャンペーンサーバそのもにアクセスできないために、キャンペーン応募できないという効果もある。
【図面の簡単な説明】
【００１６】
【図１】本発明のキャンペーン応募認証システムの構成例を示す図。
【図２】複数同時購入の場合に購入数分のパス鍵を生成するための行列の例を示す図。
【図３】キャンペーン応募認証処理の流れの例を示すフローチャート。
【発明を実施するための形態】
【００１７】
以下に、本発明の一実施形態を説明する。
【００１８】
本発明のキャンペーン応募認証システムは、図１に示すように、ＰＯＳレジスターと、読取機器と、ウェブキャンペーンサーバとを備え、読取機器とウェブキャンペーンサーバとは、インターネット等のネットワークに接続されるものである。
【００１９】
ＰＯＳレジスターは、ＰＯＳシステムの一構成要素であって、購入した商品の決済を行うものである。
【００２０】
決済の際、ＰＯＳレジスターは、ウェブキャンペーンサーバと同じアルゴリズムで時間でアルゴリズム変数を同期させてパス鍵を生成し、複数同時購入の場合、生成したパス鍵に行列変形（特定の行列を掛ける積演算）を行って購入数分のパス鍵を生成して、パス鍵付レシートを発行する。図２に、この特定の行列の例を示す。ここで、Ｍは可変定数である。
【００２１】
ＰＯＳレジスターは、ＩＣカードリーダを備え、このＩＣカードリーダに、ＩＣカードがかざされることにより、購入した商品の決済を行うものであっても良い。この場合、ＰＯＳレジスターは、パス鍵付レシートに、この決済に、このＩＣカードを利用したことの明細（履歴）を記載しても良い。
【００２２】
読取機器は、商品購入者に、この読取機器で、商品のパッケージに印刷されているＱＲコード（登録商標）を読み取らせて、ウェブキャンペーンサーバに送信させるものである。
【００２３】
また読取機器は、ウェブキャンペーンサーバからのパス鍵要求を受信して商品購入者に通知し、商品購入者に、この読取機器で、パス鍵付レシートからパス鍵を読み取らせてウ
ェブキャンペーンサーバに送信させるものである。
【００２４】
読取機器は、例えば、携帯電話であっても良い。
【００２５】
ウェブキャンペーンサーバは、ＰＯＳレジスターと同じアルゴリズムで時間でアルゴリズム変数を同期させてパス鍵を生成し続けるものである。この結果、ウェブキャンペーンサーバは、ＰＯＳレジスターがパス鍵を生成した時に、このパス鍵と同じパス鍵を生成することになる。
【００２６】
またウェブキャンペーンサーバは、既に出荷した商品のパッケージに印刷されたＱＲコード（登録商標）を保存しており、読取機器からＱＲコード（登録商標）を受信すると、受信したＱＲコード（登録商標）と保存しているＱＲコード（登録商標）とを照合して、保存しているＱＲコード（登録商標）の中に受信したＱＲコード（登録商標）がある場合のみ、読取機器からのウェブキャンペーンサーバへのアクセスを認め、読取機器にパス鍵要求を送信する。
【００２７】
さらにウェブキャンペーンサーバは、読取機器からパス鍵を受信すると、受信したパス鍵、或いは、受信したパス鍵に逆行列変形（上記特定の行列の逆行列を掛けること）したものと、既に生成しているパス鍵とを照合して、既に生成しているパス鍵の中に、受信したパス鍵、或いは、受信したパス鍵に逆行列変形（上記特定の行列の逆行列を掛けること）したものがある場合のみ、キャンペーン応募を認め、このキャンペーン応募に係る処理を行う。
【００２８】
以下に、本発明のキャンペーン応募認証システムによるキャンペーン応募認証処理の流れの例を、図３のフローチャートに従って説明する。
【００２９】
Ｓ（ＳＴＥＰ）１；
ＰＯＳレジスターは、購入された商品の決済を行う。この決済は、ＰＯＳレジスターのＩＣカードリーダに、ＩＣカードがかざされることにより行われても良い。
【００３０】
Ｓ（ＳＴＥＰ）２；
ＰＯＳレジスターは、パス鍵を生成する。
【００３１】
同時に、ウェブキャンペーンサーバも、ＰＯＳレジスターが生成したのと同じパス鍵を生成する。
【００３２】
Ｓ（ＳＴＥＰ）３；
ＰＯＳレジスターは、同時に複数の商品を決済したか否かで複数同時購入であるか否かを判断し、
複数同時購入である場合、ＳＴＥＰ４に進み、
他方、単体購入である場合、ＳＴＥＰ５に進む。
【００３３】
Ｓ（ＳＴＥＰ）４；
ＰＯＳレジスターは、生成したパス鍵に特定の行列を掛ける積演算である行列変形を行って、購入数分のパス鍵を生成する。
【００３４】
Ｓ（ＳＴＥＰ）５；
ＰＯＳレジスターは、レシート用紙に、生成したパス鍵を印刷して、パス鍵付レシートを発行する。購入された商品をＩＣカードで決済した場合、このレシート用紙に、この決済に、このＩＣカードを利用したことの明細（履歴）も印刷しても良い。尚、パス鍵付レ
シートは、商品購入者に渡される。
【００３５】
Ｓ（ＳＴＥＰ）６；
商品購入者は、読取機器で、購入した商品のパッケージに印刷されているＱＲコード（登録商標）を読み取って、ウェブキャンペーンサーバに送信する。
【００３６】
Ｓ（ＳＴＥＰ）７；
ウェブキャンペーンサーバは、読取機器からＱＲコード（登録商標）を受信し、受信したＱＲコード（登録商標）と保存しているＱＲコード（登録商標）とを照合して、保存しているＱＲコード（登録商標）の中に受信したＱＲコード（登録商標）があるかを判断し、
保存しているＱＲコード（登録商標）の中に受信したＱＲコード（登録商標）がある場合、読取機器からのウェブキャンペーンサーバへのアクセスを認めて、ＳＴＥＰ８に進み、
他方、保存しているＱＲコード（登録商標）の中に受信したＱＲコード（登録商標）がない場合、ＥＮＤに進む。
【００３７】
Ｓ（ＳＴＥＰ）８；
ウェブキャンペーンサーバは、読取装置に、パス鍵要求を送信する。
【００３８】
Ｓ（ＳＴＥＰ）９；
読取機器は、ウェブキャンペーンサーバからパス鍵要求を受信して商品購入者に通知する。
【００３９】
Ｓ（ＳＴＥＰ）１０；
商品購入者は、読取機器で、パス鍵レシートからパス鍵を読み取って、ウェブキャンペーンサーバに送信する。
【００４０】
Ｓ（ＳＴＥＰ）１１；
ウェブキャンペーンサーバは、読取装置からパス鍵を受信し、受信したパス鍵と、既に生成しているパス鍵とを照合して、既に生成しているパス鍵の中に、受信したパス鍵があるかを判断し、
既に生成しているパス鍵の中に、受信したパス鍵がある場合、ＳＴＥＰ１３に進み、
他方、既に生成しているパス鍵の中に、受信したパス鍵がない場合、ＳＴＥＰ１２に進む。
【００４１】
Ｓ（ＳＴＥＰ）１２；
ウェブキャンペーンサーバは、受信したパス鍵にＳＴＥＰ４で行列変形に用いられた特定の行列の逆行列を掛ける逆行列変形を行い、受信したパス鍵を逆行列変形したものと、既に生成しているパス鍵とを照合して、既に生成しているパス鍵の中に、受信したパス鍵を逆行列変形したものがあるかを判断し、
既に生成しているパス鍵の中に、受信したパス鍵を逆行列変形したものがある場合、ＳＴＥＰ１３に進み、
他方、既に生成しているパス鍵の中に、受信したパス鍵を逆行列変形したものがない場合、ＥＮＤに進む。
【００４２】
Ｓ（ＳＴＥＰ）１３；
ウェブキャンペーンサーバは、キャンペーン応募に係る処理を行う。
【図１】
2011086218.tif 000003
【図２】
2011086218.tif 000004
【図３】
2011086218.tif 000005